(57)【要約】【課題】サマータイム制御に対応させて印字設定を自動的に行うことができるインクジェット記録装置を提供する。【解決手段】冬時間４１のときには被印字物に冬時間の時刻を印字し、夏時間４２のときには被印字物に夏時間の時刻を印字する。夏時間４２と冬時間４１とが重複する重複期間４４において時刻を印字する際には、サマータイム終了時ＴＥまでは夏時間マークを印字し、サマータイム終了後には冬時間マークを印字する。これにより、サマータイムの開始と終了に応じて自動的に時刻印字が行われるとともに、重複期間において同一時刻となって印字された時刻をこれに付加されたマークにより正確に区別することができる。【選択図】図４
2011140168.tif 000002
【特許請求の範囲】
【請求項１】
被印字物にインク粒子を飛翔させて非接触でマークを印字する帯電制御式のインクジェット記録装置であって、
サマータイム開始時とサマータイム終了時の時刻を入力するサマータイム期間入力手段と、
前記サマータイム期間入力手段により入力されたサマータイム開始時とサマータイム終了時の時刻を記憶する記憶手段と、
サマータイム終了時からサマータイム開始時までの冬時間のときには被印字物に冬時間の時刻を印字する一方、サマータイム開始時からサマータイム終了時までの夏時間のときには、被印字物に冬時間よりもオフセット時間だけ進められた夏時間の時刻を印字する時刻印字制御手段と、
サマータイム終了時よりもオフセット時間前までの夏時間と冬時間とが重複する重複期間において時刻を印字する際には、サマータイム終了までは夏時間の時刻であることを表示する夏時間マークを印字する一方、サマータイム終了後には冬時間の時刻であることを表示する冬時間マークを印字する時間表現マーク印字制御手段とを有することを特徴とするインクジェット記録装置。
【請求項２】
請求項１記載のインクジェット記録装置において、サマータイム開始時からサマータイム終了時までの夏時間のときに時刻を印字する際には前記夏時間マークを印字し、サマータイム終了時からサマータイム開始時までの冬時間のときに時刻を印字する際には前記冬時間マークを印字することを特徴とするインクジェット記録装置。
【請求項３】
請求項１または２記載のインクジェット記録装置において、被印字物に対して時刻を印字する際に、前記夏時間マークと前記冬時間マークとを印字するマーク印字モードと、前記夏時間マークと前記冬時間マークとを印字しない不印字モードとを設定する印字モード入力手段を有することを特徴とするインクジェット記録装置。
【請求項４】
請求項１〜３のいずれか１項に記載のインクジェット記録装置において、前記夏時間マークと前記冬時間マークの内容を入力するマーク入力手段を有することを特徴とするインクジェット記録装置。
【請求項５】
請求項１〜４のいずれか１項に記載のインクジェット記録装置において、インクジェット記録装置の使用地域に対応したサマータイム開始時とサマータイム終了時とが記憶された前記記憶手段から信号に基づいて使用地域を表示する使用地域表示画面を有し、当該使用地域表示画面がサマータイム開始時とサマータイム終了時を入力する前記サマータイム期間入力手段を構成することを特徴とするインクジェット記録装置。
【請求項６】
請求項５記載のインクジェット記録装置において、前記記憶手段は複数の地域についてのサマータイム開始時とサマータイム終了時とを記憶し、前記使用地域表示画面は複数の地域を表示することを特徴とするインクジェット記録装置。
【請求項７】
請求項１〜６のいずれか１項に記載のインクジェット記録装置において、現在時刻が夏時間のときには、自動的に夏時間に基づいて被印字物に時刻を印字するサマータイム自動制御モードに設定する自動制御モード入力手段を有することを特徴とするインクジェット記録装置。
【請求項８】
請求項１〜７のいずれか１項に記載のインクジェット記録装置において、前記オフセット時間を入力するオフセット時間入力手段を有することを特徴とするインクジェット記録装置。
【請求項９】
請求項１〜８のいずれか１項に記載のインクジェット記録装置において、前記サマータイム期間入力手段によるサマータイム開始時とサマータイム終了時とを、週単位または月日単位で入力することを特徴とするインクジェット記録装置。
【請求項１０】
請求項１〜９のいずれか１項に記載のインクジェット記録装置において、それぞれの前記入力手段により入力された入力情報をディスプレイに画面表示することを特徴とするインクジェット記録装置。
【請求項１１】
請求項１〜１０のいずれか１項に記載のインクジェット記録装置において、サマータイム開始時とサマータイム終了時とを表示するサマータイム期間表示画面は、夏時間と冬時間とを図表で表示するチャート表示部を有することを特徴とするインクジェット記録装置。
【発明の詳細な説明】
【技術分野】
【０００１】
本発明は、被印字物にインク粒子を飛翔させて非接触でマークを印字する帯電制御式のインクジェット記録装置に関し、特にサマータイム制御に対応したインクジェット記録装置に関する。
【背景技術】
【０００２】
現在、食品加工技術や工業製品製造技術の分野などの製造技術分野においては、製品の製造日時や流通経路などを管理する「トレーサビリティ」に対する需要が、消費者および生産者の区別なく高まっている。トレーサビリティを高めるために、各々の製品にその製造日時や管理番号などの製品固有情報を表示するようにしている。その表示を行うために、食品の収納容器や製品自体を被印字物として、これに非接触で文字や図形を印字つまりマーキングすることができる帯電制御式のインクジェット記録装置が使用されている。このインクジェット記録装置は、印字ヘッドのノズルを被印字物に接触させることなく、インクを被印字物に向けてノズルから飛翔させて印字することができるので、特に工場ラインにおいて製品を短時間で大量に加工、製造する場合に有効に機能している。
【０００３】
製品固有情報の１つとして製造日時を被印字物に印字する場合には、被印字物に印字時の現在時刻を正確に印字する必要がある。現在時刻の表示方法の１つに、サマータイムがある。サマータイムは、資源を有効に活用する目的で欧米を中心に採用されている表示方法であり、サマータイムとは日照時間の長い夏季期間には時計表示を一定時間進める制度のことを意味するとともに、進められた時刻を意味している。この制度が採用される場合には、サマータイム開始時に時計表示を一定時間進め、サマータイム終了時に時計表示を一定時間戻すことになる。サマータイムが採用されている多くの国や地域では、サマータイム開始時には時計表示を１時間進めるようにしているが、３０分進めるようにした地域もある。サマータイムの採用によって、夜間の電力消費の抑制、余暇活動の促進、交通事故や犯罪率の低下といった効果が期待できるとされている。
【０００４】
サマータイムが採用されている地域で使用される各種電子機器には、時刻表示の方式としてサマータイムを表示することになる。電子時計機能を備えた各種電子機器に対するサマータイムの時刻表示技術としては、サマータイム期間の設定情報を予め入力しておくことにより、サマータイム期間の開始日または終了日で自動的に時刻調整をするようにしたものがある（例えば、特許文献１）。
【先行技術文献】
【特許文献】
【０００５】
【特許文献１】特開平４−２８３６８８号公報
【発明の概要】
【発明が解決しようとする課題】
【０００６】
従来のインクジェット記録装置で現在時刻変更を行う場合には、手入力または外部からの通信手段により変更操作が行われている。サマータイムが採用されている地域において使用されるインクジェット記録装置については、内蔵時計の誤差を正す目的で行う通常の現在時刻変更に加えて、サマータイムに対応する目的で行う現在時刻変更をサマータイム開始日時と終了日時に行う必要がある。しかし、特に手入力で現在時刻を変更する際には、現在時刻変更の間は印字作業が中断されるため、製品の製造ラインに大きなロスを生じさせてしまうことになるとともに、現在時刻の変更操作を行う作業者に煩わしさを与えてしまう。
【０００７】
一方、サマータイム制御をその開始時に時計表示を例えば１時間進めるようにした場合には、サマータイム制御の特性上、サマータイム開始時には時計表示が１時間進むことになるので、１時間の空白期間が発生するのに対し、サマータイム終了時には時計表示が１時間戻されるので、サマータイム終了時の前後には重複期間が発生して同じ時刻が１時間繰り返されることになる。したがって、インクジェット記録装置を用いて現在時刻を被印字物に印字する場合には、実際には時刻が相違するにも拘わらず、同じ時刻となって印字された製品が混在することになり、印字時期を正確に特定することはできない。このため、製品のトレーサビリティの向上を図るためには、この１時間を何らかの方法で区別する方法を確立させる必要がある。
【０００８】
本発明の目的は、サマータイム制御に対応させて印字設定を自動的に行うことができるインクジェット記録装置を提供することにある。
【課題を解決するための手段】
【０００９】
本発明のインクジェット記録装置は、被印字物にインク粒子を飛翔させて非接触でマークを印字する帯電制御式のインクジェット記録装置であって、サマータイム開始時とサマータイム終了時の時刻を入力するサマータイム期間入力手段と、前記サマータイム期間入力手段により入力されたサマータイム開始時とサマータイム終了時の時刻を記憶する記憶手段と、サマータイム終了時からサマータイム開始時までの冬時間のときには被印字物に冬時間の時刻を印字する一方、サマータイム開始時からサマータイム終了時までの夏時間のときには、被印字物に冬時間よりもオフセット時間だけ進められた夏時間の時刻を印字する時刻印字制御手段と、サマータイム終了時よりもオフセット時間前までの夏時間と冬時間とが重複する重複期間において時刻を印字する際には、サマータイム終了までは夏時間の時刻であることを表示する夏時間マークを印字する一方、サマータイム終了後には冬時間の時刻であることを表示する冬時間マークを印字する時間表現マーク印字制御手段とを有することを特徴とする。
【００１０】
本発明のインクジェット記録装置は、サマータイム開始時からサマータイム終了時までの夏時間のときに時刻を印字する際には前記夏時間マークを印字し、サマータイム終了時からサマータイム開始時までの冬時間のときに時刻を印字する際には前記冬時間マークを印字することを特徴とする。本発明のインクジェット記録装置は、被印字物に対して時刻を印字する際に、前記夏時間マークと前記冬時間マークとを印字するマーク印字モードと、前記夏時間マークと前記冬時間マークとを印字しない不印字モードとを設定する印字モード入力手段を有することを特徴とする。本発明のインクジェット記録装置は、前記夏時間マークと前記冬時間マークの内容を入力するマーク入力手段を有することを特徴とする。本発明のインクジェット記録装置は、インクジェット記録装置の使用地域に対応したサマータイム開始時とサマータイム終了時とが記憶された前記記憶手段から信号に基づいて使用地域を表示する使用地域表示画面を有し、当該使用地域表示画面がサマータイム開始時とサマータイム終了時を入力する前記サマータイム期間入力手段を構成することを特徴とする。
【００１１】
本発明のインクジェット記録装置は、前記記憶手段は複数の地域についてのサマータイム開始時とサマータイム終了時とを記憶し、前記使用地域表示画面は複数の地域を表示することを特徴とする。本発明のインクジェット記録装置は、現在時刻が夏時間のときには、自動的に夏時間に基づいて被印字物に時刻を印字するサマータイム自動制御モードに設定する自動制御モード入力手段を有することを特徴とする。本発明のインクジェット記録装置は、前記オフセット時間を入力するオフセット時間入力手段を有することを特徴とする。本発明のインクジェット記録装置は、前記サマータイム期間入力手段によるサマータイム開始時とサマータイム終了時とを、週単位または月日単位で入力することを特徴とする。本発明のインクジェット記録装置は、それぞれの前記入力手段により入力された入力情報をディスプレイに画面表示することを特徴とする。本発明のインクジェット記録装置は、サマータイム開始時とサマータイム終了時とを表示するサマータイム期間表示画面は、夏時間と冬時間とを図表で表示するチャート表示部を有することを特徴とする。
【発明の効果】
【００１２】
本発明によれば、サマータイム終了時よりもオフセット時間前までの夏時間と冬時間とが重複する重複期間においては、被印字物に対してサマータイム終了時までは夏時間の時刻であることを表示する夏時間マークを自動的に印字し、サマータイム終了後には冬時間の時刻であることを表示する冬時間マークを自動的に印字するようにしたので、インクジェット記録装置の作動を停止させることなく、サマータイム制御のために時刻変更操作を行うことが不要となる。これにより、工場で大量に製造加工するための製造ラインを停止させることなく、夏時間と冬時間に対応させて製品に対する最適な時刻印字を自動的に行うことができる。重複期間に印字される製品には、夏時間マークと冬時間マークとが印字されるので、サマータイム終了時前後の重複期間内に印字された時刻を正確に区別することができ、製品を管理するためのトレーサビリティを向上させることができる。
【００１３】
夏時間マークと冬時間マークとを重複期間を含めて全期間において印字するようにすると、製品に付される時刻を容易に区別することができる。印字モード入力手段により夏時間マークと冬時間マークとを印字するモードと、これらを印字しない不印字モードとに切り換えられるようにすると、サマータイムが適用されない地域と適用される地域のいずれにおいてもインクジェット記録装置を使用することができる。夏時間マークと冬時間マークの内容をマーク入力手段により入力することができるので、製品に応じて任意のマークを印字することができる。記憶部内に予めサマータイム開始時と終了時の時刻を格納しておくことにより、サマータイム期間の設定操作を容易に行うことができる。サマータイム開始時と終了時のデータを複数の地域について予め記憶部内に格納しておくことにより、サマータイム制度が適用されるいずれの地域においてもサマータイム期間の設定操作を容易に行うことができる。
【００１４】
サマータイム期間を週単位として入力するようにすると、サマータイム期間を毎年変更する作業が不要となる。一方、サマータイム期間を月、日で入力するようにすると、サマータイム期間の開始時と終了時とが具体的になる。サマータイム期間など種々の入力内容は、ディスプレイの画面に点灯表示されるので、入力内容が視覚的に表示されて、インクジェット記録装置の設定操作性が向上することになる。夏時間と冬時間とを図表で画面に表示すると、サマータイム期間が視覚的に表示され、その設定操作性が向上する。
【図面の簡単な説明】
【００１５】
【図１】本発明の一実施の形態であるインクジェット記録装置の外観を示す斜視図である。
【図２】図１に示された印字ヘッドの内部構造を示す概略斜視図である。
【図３】インクジェット記録装置の制御部を示すブロック図である。
【図４】夏時間を冬時間よりも１時間進めるようにしたサマータイムが採用されている地域における時計の時刻表示について視覚的に示した概略図である。
【図５】サマータイムに関する定義を視覚的に示した概略図である。
【図６】サマータイム開始時とサマータイム終了時の時間表現に応じて、空白期間と重複期間の範囲が変化する状態を示す概略図である。
【図７】現在時刻入力表示画面の一例を示す概略図である。
【図８】現在時刻入力表示画面の変形例の一部分を示す概略図である。
【図９】（Ａ）（Ｂ）はそれぞれサマータイム期間を入力表示する期間入力表示画面の具体例を示す概略図である。
【図１０】サマータイム期間を入力表示する期間入力表示画面の変形例を示す概略図である。
【図１１】（Ａ）（Ｂ）はそれぞれサマータイム期間を入力表示する期間入力表示画面の変形例を示す概略図である。
【図１２】サマータイム期間を入力表示する期間入力表示画面の一部を示す概略図である。
【図１３】（Ａ）は重複期間における製品に対する印字例を比較例として示す概略図であり、（Ｂ）は重複期間における製品に対する印字パターンの具体例を示す概略図である。
【図１４】時間表現を表す冬時間マークと夏時間マークの付与形態を選択する時間表現入力表示画面を示す概略図である。
【図１５】時刻表示制御のアルゴリズムを示すメインフローチャートである。
【図１６】現在時刻が新たに入力された場合における現在時刻の再設定のアルゴリズムを示すフローチャートである。
【図１７】サマータイム自動制御モードが設定された状態のもとでの印字制御のアルゴリズムを示すメインフローチャートである。
【図１８】各種時刻の取得のサブルーチンを示すフローチャートである。
【図１９】変更なしの時刻計算のサブルーチンを示すフローチャートである。
【図２０】変更ありの時刻計算のサブルーチンを示すフローチャートである。
【図２１】時刻の状態取得のサブルーチンを示すフローチャートである。
【図２２】印字内容の取得のサブルーチンを示すフローチャートである。
【発明を実施するための形態】
【００１６】
以下、本発明の実施の形態を図面に基づいて詳細に説明する。図１に示されるように、インクジェット記録装置１１は、正面に操作表示部１２が設けられた装置本体１３を有し、装置本体１３には印字ヘッド１４が導管１４ａにより接続されている。このインクジェット記録装置１１は、例えば、図１に示されるように、食品や飲料等を生産する工場の生産ラインに据え付けられ、食品等の梱包物を印字対象物つまり被印字物１０として、これに管理番号や製造日時などの製品固有情報を印字つまりマーキングするために使用される。印字ヘッド１４はベルトコンベア１５により搬送される被印字物１０に近接されて図示しない支持台に設置され、ベルトコンベア１５により矢印で示される方向に移動する被印字物１０にインクジェット記録装置１１により印字作業が行われる。
【００１７】
生産ラインとしてのベルトコンベア１５には、ベルトコンベア１５による被印字物１０の移動速度にかかわらず同じ幅で被印字物１０に印字するために、移動速度に応じた信号を出力するエンコーダ１６が被印字物１０の移動方向位置検出手段として設けられている。ベルトコンベア１５により搬送された被印字物１０が印字ヘッド１４に対して移動方向上流側の所定の位置まで到達したことを検出し、インクジェット記録装置１１に対して印字開始を指示するための信号を出力する印字センサ１７がベルトコンベア１５に近接して配置されている。エンコーダ１６および印字センサ１７はそれぞれ装置本体１３内の制御部に信号線を介して接続されている。
【００１８】
印字ヘッド１４は、図２に示されるように、インク柱１８を吐出するノズル２０を有し、ノズル２０には装置本体１３内に配置されたインク容器２２内のインクを供給するインク供給流路２３が接続され、インク供給流路２３には供給ポンプ２４が設けられている。インク容器２２内のインクは、供給ポンプ２４により吸引、加圧されてインク柱１８となってノズル２０の噴出口２１から噴出される。ノズル２０には電歪素子２５が備えられており、インクは電歪素子２５により一定周期で振動され、ノズル２０の噴出口２１から噴出されるインク柱１８は粒子化される。生成されるインク粒子１９の数は、電歪素子２５に印加される励振電圧の周波数により決定され、その周波数と同数となる。
【００１９】
ノズル２０の前方には帯電電極２６が配置されており、インク粒子１９には印字情報に対応した大きさの電圧を帯電電極２６に印加することによって電荷が与えられるようになっている。帯電電極２６の前方には偏向電極２７が配置されており、偏向電極２７はプラス偏向電極２７ａとこれに隙間を介して対向するマイナス偏向電極２７ｂとを有している。帯電電極２６により帯電されたインク粒子１９は、両方の偏向電極２７ａ，２７ｂの間に形成される電界中を飛翔している間に帯電量に比例した力を受けて偏向され、被印字物１０に向かって飛翔して被印字物１０に着弾する。その際に、インク粒子１９は帯電量に応じて矢印Ｒで示す偏向方向つまり主走査方向に着弾位置が変化し、さらに主走査方向Ｒに対してほぼ直角な移動方向つまり副走査方向にベルトコンベア１５が被印字物１０を移動させることで、偏向方向と直行した方向にもインク粒子１９は着弾される。これにより、複数の着弾粒子によってドットマトリックス状に文字や図形が被印字物１０にマーキングされることになる。
【００２０】
印字に使用されないインク粒子１９を回収するために、ノズル２０の噴出口２１に対向して印字ヘッド１４内にはガター２８が配置されており、偏向電極２７ａ，２７ｂの間を偏向されずに直線的に飛翔するインク粒子１９はガター２８により捕捉される。捕捉されたインク粒子１９は、回収流路２９によりインク容器２２に回収されるようになっている。
【００２１】
図１に示されるインクジェット記録装置１１は、ベルトコンベア１５により搬送しながら被印字物１０に対して印字しており、被印字物１０はベルトコンベア１５により印字ヘッド１４に対して副走査方向に移動する。これに対して、ベルトコンベア１５を停止させた状態のもとで被印字物１０に対して印字作業を行う場合には、印字ヘッド１４を移動することによって被印字物１０は印字ヘッド１４に対して副走査方向に移動することになる。このように、被印字物１０に対して印字ヘッド１４を副走査方向に相対的に移動させることにより被印字物１０にマーキングが施される。
【００２２】
図３はインクジェット記録装置１１の制御部３０を示すブロック図である。制御部３０は制御信号を演算するＭＰＵ（マイクロプロセッシングユニット）を備えたコントローラ３１を有し、コントローラ３１には、制御プログラムおよび演算式などを予め記憶しておくＲＯＭと、一時的にデータを記憶するＲＡＭを有する記憶部３２が設けられている。図１に示す操作表示部１２は、印字情報等をキー入力するタッチパネル３３の機能と、インクジェット記録装置１１の印字内容や現在時刻等の情報を表示するディスプレイ３４の機能とを有している。タッチパネル３３の操作により入力された信号はコントローラ３１に送られ、コントローラ３１からはディスプレイ３４に表示信号が出力される。印字を行う際の印字データや各種印字設定がタッチパネル３３のキー操作により入力されると、そのデータは記憶部３２のメモリに記憶される。
【００２３】
図１に示したエンコーダ１６と印字センサ１７はそれぞれコントローラ３１に接続され、コントローラ３１からは図２に示した電歪素子２５，帯電電極２６および偏向電極２７に対して制御信号が出力される。生産ラインを構成するベルトコンベア１５により搬送される被印字物１０に対して印字するときには、印字センサ１７からの信号に基づいて被印字物１０の位置を特定する。
【００２４】
制御部３０には、ＲＴＣ(Real Time Clock)３５と内蔵電池３６とを有する内部時計記憶素子３７が設けられており、内部時計記憶素子３７は現在時刻を保存する目的で設けられている。「時刻を制御するプログラム」はプログラム格納装置としての記憶部３２内のＲＯＭに格納されており、このプログラムによりコントローラ３１に対する入出力信号が制御される。ＲＴＣ３５から送られる入力信号に基づいてＲＴＣ３５に保存されている現在時刻は、コントローラ３１内の図示しない検出装置により取得され、取得された現在時刻は、ディスプレイ３４の画面に表示される。コントローラ３１からの出力信号により、ＲＴＣ３５の内容を更新つまり変更することができる。
【００２５】
コントローラ３１は、記憶部３２に格納された印字データに基づいて被印字物１０に対して管理番号や製造日時などの製品固有情報を印字するために、印字ヘッド１４内の偏向電極２７などに駆動信号を送ることになり、コントローラ３１は時刻や他のマークなどからなる製品固有情報の印字を制御する印字制御手段を構成している。
【００２６】
上述したように、夜間の電力消費の抑制、余暇活動の促進、交通事故や犯罪率の低下などの効果を期待してサマータイムが採用されている地域がある。これらの地域においては、サマータイムとそうでない時刻とを明確に区別して表現される場合が多い。例えば、北米においては、「Daylight Saving Time(DST)」と「Standard Time(ST)」という表現で区別され、欧州においては「Summer Time」と「Time」という表現で区別されている。本明細書では、それにならい、言及する時刻がサマータイムかどうかを明確に区別する場合には、サマータイムを「夏時間」と表現し、サマータイムでない時刻を「冬時間」として表現することにする。また、夏時間を冬時間よりも進める時間をオフセット時間と表現することにする。ここで、夏時間と冬時間は、時間の状態を修飾する用語でもあるので、これらをまとめて「時間表現」と呼ぶことにする。
【００２７】
夏時間を冬時間よりも１時間進めるようにした場合、つまりオフセット時間を１時間とした場合には、夏時間は冬時間を１時間進めた時間であると言える。したがって、ある一瞬の時刻の時間表現を他方の時間表現で表したい場合には、計算式「夏時間＝冬時間＋１時間」で求めることができる。
【００２８】
図４は、夏時間を冬時間よりも１時間進めるようにしたサマータイムが採用されている地域における時計の時刻表示について視覚的に示した概略図である。
【００２９】
図４において冬時間４１における時刻ＡＷをサマータイム開始時ＴＳとすると、時刻ＡＷとなった瞬間に時刻表示が自動的に１時間進み、夏時間４２における時刻ＡＳとなる。例えば、特定の月日の冬時間４１の午前２時にサマータイムが開始されるとすると、時刻ＡＳは午前３時となる。このため、見かけ上は時刻表示として使用されない空白の１時間である空白期間４３が存在することになる。一方、夏時間４２における時刻ＢＳをサマータイム終了時ＴＥとすると、時刻ＢＳとなった瞬間に時刻表示が自動的に１時間戻り、冬時間４１における時刻ＢＷとなる。例えば、特定の月日の夏時間が午前３時となったときにサマータイムが終了されるとすると、時刻ＢＷは午前２時となる。このため、見かけ上は時刻表示として２回使用される重複の１時間である重複期間４４が存在することになる。図４において、符号Ｃは夏時間におけるサマータイム終了時ＢＳからオフセット時間である１時間を戻した時の時刻を示し、符号Ｄは冬時間におけるサマータイム終了時ＢＷから１時間後の時刻を示す。また、符号Ｅは夏時間を基準とした場合におけるサマータイム開始時ＡＳから１時間前の時刻を示し、符号Ｆは冬時間４１を基準とした場合におけるサマータイム開始時ＴＳから１時間後の時刻を示す。
【００３０】
図５は、サマータイムに関する定義を視覚的に示した概略図である。時刻がサマータイムであり続ける期間をサマータイム期間４５と言う。サマータイム期間４５はサマータイム開始時ＴＳからサマータイム終了時ＴＥまでの期間であり、サマータイム期間中の時刻の時間表現は夏時間４２である。図４および図５により、サマータイム開始時ＴＳとサマータイム終了時ＴＥの時間表現は、それぞれ夏時間４２と冬時間４１の２通りあることがわかる。つまり、サマータイム開始時ＴＳには、冬時間４１のサマータイム開始時ＡＷと夏時間４２のサマータイム開始時ＡＳとが存在する。また、サマータイム終了時ＴＥには、冬時間４１のサマータイム終了時ＢＷと夏時間４２のサマータイム終了時ＢＳとが存在する。このため、インクジェット記録装置により時刻を再計算するプログラムを使用するには、サマータイム開始時ＴＳとサマータイム終了時ＴＥの時間表現を統一する必要がある。
【００３１】
図６は、図４および図５に示されたサマータイム開始時ＴＳとサマータイム終了時ＴＥの時間表現に応じて、空白期間４３と重複期間４４の範囲が変化する状態を示す概略図である。説明の便宜のために、サマータイム開始時ＴＳおよびサマータイム終了時ＴＥに設定する時刻を特定の日の2:00:00（午前２時００分００秒）と定義する。まず、サマータイム開始時ＴＳが冬時間４１の場合つまり冬時間基準４６ｗと、サマータイム開始時ＴＳが夏時間４２の場合つまり夏時間基準４６ｓとを比較する。冬時間基準４６ｗの場合は、サマータイム開始時ＴＳとして時刻ＡＷを設定した場合なので、空白期間４３は冬時間の2:00:00から3:00:00までとなる。一方、夏時間基準４６ｓの場合には、サマータイム開始時ＴＳとして時刻ＡＳを設定した場合なので、空白期間４３は夏時間４２の1:00:00から2:00:00までとなる。これにより、時間表現の違いによって、空白期間４３の範囲が１時間ずれることがわかる。
【００３２】
次いで、サマータイム終了時ＴＥが冬時間４１の場合つまり冬時間基準４７ｗと、サマータイム終了時ＴＥが夏時間４２の場合つまり夏時間基準４７ｓとを比較する。冬時間基準４７ｗの場合は、サマータイム終了時ＴＥとして時刻ＢＷを設定した場合なので、重複期間４４は冬時間の2:00:00から3:00:00までとなる。一方、夏時間基準４７ｓの場合には、サマータイム終了時ＴＥとして時刻ＢＳを設定した場合なので、重複期間４４は夏時間４２の1:00:00から2:00:00までとなる。これにより、時間表現の違いによって、重複期間４４の範囲が１時間ずれることがわかる。
【００３３】
図６に示されるように、同一時刻を設定しても、時間表現の違いでサマータイム期間４５と空白期間４３と重複期間４４に影響がでることがわかる。そのため、設定ミス低減を図るために、サマータイム開始時ＴＳとサマータイム終了時ＴＥを設定するときには、時間表現も設定することにする。
【００３４】
図７〜図１２は、タッチパネル３３の機能とディスプレイ３４としての機能とを有する操作表示部１２にそれぞれ点灯表示される画面の一例を示す概略図である。それぞれの画面は、タッチパネルとしての機能を有する操作表示部１２の特定部位を作業者が指で操作することにより各種の情報を入力することができるとともに、入力結果が操作表示部１２に点灯表示される。
【００３５】
図７は、現在時刻入力表示画面５１の一例を示す概略図である。この画面５１には現在時刻を秒単位で表示する現在時刻入力表示部６１を有し、この画面５１にはサマータイム制御を採用するかどうかを選択するためのサマータイム自動制御モードの入力表示部６２が設けられている。この入力表示部６２は、「あり」と表示される部分と「なし」と表示される部分とを有し、自動制御モード入力手段を構成している。入力表示部６２の「あり」と表示された部分が操作されると、現在時刻が夏時間４２のときには、自動的に夏時間４２に基づいて被印字物１０に時刻を印字するようにサマータイム自動制御モードが設定される。これにより、サマータイム期間中には現在時刻を冬時間４１を基準とすると、それよりも自動的に１時間進める処理を行い、その結果が現在時刻入力表示部６１に時刻表示される。
【００３６】
この画面５１の入力表示部６２を操作することによって、予めサマータイム自動制御を採用するか否かを設定することができ、被印字物１０に対する印字作業を中断させることなくサマータイム設定を行うことができる。「あり」の部分を操作した後に「決定」６０と表示された部分を操作すると、サマータイム自動制御モードが設定されたことが、記憶部３２に格納される。一方、「なし」の部分を操作した後に「決定」６０と表示された部分を操作すると、サマータイム自動制御モードが解除されて現在時刻入力表示部６１には冬時間４１に基づいた時刻が表示される。この現在時刻入力表示部６１を操作することにより、現在時刻の変更ないし更新操作も行われる。
【００３７】
図８は、現在時刻入力表示画面５１の変形例の一部分を示す概略図である。サマータイム自動制御の入力表示部６２の「あり」が操作されたときに、現在時刻入力表示部６１には「夏時間」の文字が点灯表示され、現在時刻入力表示部６１の背景部分６１ａの色彩が他の部分と相違されるようになっている。また、この画面５１にはサマータイム期間を示すアイコン６３が表示される。このように、サマータイム期間中のみ画面表示を変更することによって、作業者は時間表現の違いを視覚的に判別できることになる。「あり」と表示された部分が操作された場合には夏時間においては、図８に示すように、夏時間の文字を点灯させるとともに背景部分６１ａを地の色と相違した色彩で点灯させるようにすると、冬時間においてはこれらが点灯されないので、時間表現により、図７を冬画面、図８を夏画面とも言うことができる。
【００３８】
図９（Ａ）（Ｂ）はそれぞれサマータイム期間を入力表示する期間入力表示画面５２の具体例を示す概略図である。それぞれの期間入力表示画面５２は図４に示したサマータイム開始時ＴＳとサマータイム終了時ＴＥとを表示するサマータイム期間入力表示部６４を有しており、この入力表示部６４に表示されるサマータイム開始時ＴＳと終了時ＴＥの内容は図示省略したキーの部分を操作することにより変更することができる。このように、図９に示す期間入力表示画面５２のサマータイム期間入力表示部６４は、サマータイム開始時とサマータイム終了時を入力するためのサマータイム期間入力手段を構成している。
【００３９】
図９（Ａ）に示すサマータイム期間入力表示部６４には、サマータイム開始時ＴＳとサマータイム終了時ＴＥとが週単位で入力することができる。図９（Ａ）においては、３月の第２日曜日午前２時が冬時間４１を基準としたサマータイムの開始時ＴＳであり、終了時ＴＥが夏時間４２を基準として１１月の第１日曜日の午前２時であることを示している。図９（Ａ）に示されるように、週と曜日に基づいてサマータイム開始時ＴＳと終了時ＴＥとを入力するとともに表示するようにすると、カレンダーの日付に依存しない項目によりそれぞれを設定することができ、一度設定すればサマータイム期間の変更を毎年行う必要がないという利点がある。
【００４０】
図９（Ｂ）に示す期間入力表示画面５２に設けられたサマータイム期間入力表示部６４には、図４のサマータイム開始時ＴＳとサマータイム終了時ＴＥとを、「年」「月」「日」「時」「分」および「時間表現」により表現している。このような表示方式においては、カレンダーの日付が具体的に表示されるので、サマータイム期間が視覚的にわかりやすいという利点がある。
【００４１】
図１０は期間入力表示画面５２の変形例を示す概略図であり、この期間入力表示画面５２にはサマータイムが採用される使用地域を表示する使用地域表示部６５が設けられている。図３に示した記憶部３２には、各地域のサマータイム期間４５のデータが格納されており、使用地域の設定項目には、大陸、国、地域が含まれている。これらの項目の部分が作業者により操作されると、全ての項目を満たす地域のサマータイム期間が記憶部３２から読み出されて、サマータイム条件が設定され、設定された内容が表示される。このように、予め記憶部３２に各地域のサマータイム期間のデータを格納しておくことにより、図９に示したようにサマータイム開始時ＴＳとサマータイム終了時ＴＥの各項目を入力する煩雑さが解消される。
【００４２】
図１１（Ａ）（Ｂ）はそれぞれサマータイム期間を入力表示する期間入力表示画面５２の変形例を示す概略図である。それぞれの画面５２には、文字で表示するサマータイム期間入力表示部６４に加えて、サマータイム期間を図表形式で示すチャート表示部６６が設けられている。このチャート表示部６６に表示される図表は、図４に示した時刻表示形式となっている。図１１（Ａ）に示すサマータイム期間入力表示部６４には、サマータイム終了時ＴＥが夏時間４２を基準として表示されており、これに対応させてチャート表示部６６にはサマータイム終了時ＴＥが夏時間を基準とした図表により時刻表示されている。これに対し、図１１（Ｂ）に示すサマータイム期間入力表示部６４には、サマータイム終了時ＴＥが冬時間４１を基準として表示されており、これに対応させてチャート表示部６６にはサマータイム終了時ＴＥが冬時間を基準とした図表により時刻表示されている。図１１に示すように、チャート表示部６６を設けると、サマータイム開始時ＴＳとサマータイム終了時ＴＥとが視覚的に自動的に時刻表示されるので、サマータイム期間の設定ミスを低減することができる。
【００４３】
図１２はサマータイム期間を入力表示する期間入力表示画面５２の一部を示す概略図である。
【００４４】
この期間入力表示画面５２には、夏時間と冬時間の時間差つまり時刻表示の幅を設定し表示するためのオフセット入力表示部６７が設けられている。サマータイム開始時ＴＳに進める時間つまり時刻表示の幅の値は、図４に示した空白期間４３と重複期間４４の範囲に直接影響を与えることになる。インクジェット記録装置１１が使用される多くの地域においては、サマータイム開始時ＴＳには時計表示を１時間進めるようにしているが、オフセット時間入力手段としてのオフセット入力表示部６７を操作することによって、サマータイム開始時ＴＳに進める時間つまりオフセット時間を任意の時間に設定することができる。これにより、サマータイム開始時ＴＳに進めるオフセット時間が１時間以外となったとしても、このオフセット入力表示部６７を操作することにより、オフセット時間の変更に柔軟に対応することができる。オフセット入力表示部６７には時間を表示する部分と、分を表示する部分とを有している。
【００４５】
インクジェット記録装置のプリントモードとしてサマータイム制御が行われているときには、図４に符号Ｉ，Ｖで示した冬時間４１のときに印字された被印字物１０には冬時間が時刻として印字され、符号IIで示した夏時間４２のときに印字された被印字物１０には夏時間が時刻として印字されることになる。これに対し、現在時刻が重複期間４４のときには、同一の時刻が符号IIIで示す夏時間４２のときと、符号IVで示す冬時間４１のときとで２回印字されることになる。つまり、印字された被印字物１０には夏時間４２で時刻印字されたものと、冬時間４１で時刻印字されたものとが混在することになる。時刻が印字された製品つまり被印字物１０のトレーサビリティについて、印字した時刻を含めて厳密に管理しようとすると、図４に示されるように、重複期間４４に印字された製品数は他の時間に印字された製品数の２倍となる。このため、印字時刻に基づいて製品を判別する場合には、重複期間４４における製品の印字時期を特定することができなくなり、この時刻間でのトレーサビリティ管理が不十分になる。この問題は、サマータイム制御を行って印字する場合には必ず発生することになる。
【００４６】
図１３（Ａ）は重複期間４４における製品に対する印字例を比較例として示す概略図である。図示するように、重複期間４４においては、夏時間に基づいて印字された時刻と、冬時間に基づいて印字された時刻とがいずれも「01:15:00」と印字され、実際には印字された時間が相互に相違するにも拘わらず、同一時刻として印字された製品が混在することになる。このため、重複期間４４における製品の印字時期を特定することができない。
【００４７】
図１３（Ｂ）は重複期間４４における製品に対する印字パターンの具体例を示す概略図である。
【００４８】
図１３（Ｂ）に示すように、重複期間４４のうち夏時間４２に基づく時刻については時刻の末尾に時間表現を示す夏時間マーク「Ｓ」が付加され、冬時間に基づく時刻については時刻の末尾に時間表現を示す冬時間マーク「Ｗ」が付加される。これにより、時刻の表現は図１３（Ａ）に示した場合と同様に「01:15:00」と印字されるが、それぞれ夏時間マーク「Ｓ」と冬時間マーク「Ｗ」のいずれかの時間表現マークが付加されるので、重複期間４４における製品の印字時期を正確に特定することができ、製品のトレーサビリティ管理を十分に行うことができる。時刻表現マークとしては、製品製造者や需要者が識別することができるマークであれば、「Summer」「Winter」と標記するようにしても良く、絵文字などを標記するようにしても良く、時刻が表示される部分の地の色を相違させるようにしても良い。
【００４９】
図１４は時間表現を表すマークつまり冬時間マークと夏時間マークの付与形態を選択する時間表現入力表示画面５３を示す概略図である。
【００５０】
この画面５３には自動印字内容入力表示部６８が設けられており、この入力表示部６８には夏時間４２に基づく時刻で印字されるときには、夏時間マーク「Ｓ」が付加されることが表示され、冬時間４１に基づく時刻で印字されるときには、冬時間マーク「Ｗ」が付加されることが表示されている。時間表現を表すマークとして他のマークを使用する場合には、予め記憶部３２に格納された他のマークが、この自動印字内容入力表示部６８を操作することにより選択される。このように、自動印字内容入力表示部６８は夏時間マーク「Ｓ」と冬時間マーク「Ｗ」の内容を入力するマーク入力手段となっている。
【００５１】
時間表現入力表示画面５３には印字モード入力表示部６９が設けられており、印字モード入力表示部６９における「重複期間」の項目が操作されると、重複期間４４に印字される製品には「Ｓ」または「Ｗ」の時間表現を表すマークが時刻の末尾に自動的に印字される。一方、「全期間」の項目が操作されると、重複期間４４も含めて冬時間４１に基づく時刻が印字されるときも、夏時間４２に基づく時刻が印字されるときにも、時間表現のマークが付加される。「なし」の項目が操作されると、時間表現マークの付加が禁止される。このように、印字モード入力表示部６９は、夏時間マークと冬時間マークとを印字するマーク印字モードと、これらを印字しない不印字モードとを設定する印字モード入力手段を構成している。この印字モード入力手段としての印字モード入力表示部６９は、上述のように、重複期間４４のみに時間表現マークを印字するモードと、全期間について時間表現マークを印字するモードとを切り換えるモード切換手段としての機能を有している。
【００５２】
上述したそれぞれの画面においては、決定６０の文字が付された部分を操作することにより、入力された情報が設定されて、記憶部３２に製品固有情報として格納される。
【００５３】
図１５は、インクジェット記録装置による印字操作がサマータイム自動制御モードにより実行されると設定された場合における時刻表示制御のアルゴリズムを示すメインフローチャートである。
【００５４】
インクジェット記録装置が起動されると、ステップＳ１においては図４に示した各種時刻を取得つまり読み出すサブルーチンが後述のように実行され、ＲＴＣ３５から現在時刻Ｔを取得してその時間表現を取得する（ステップＳ２，Ｓ３）。ステップＳ４で前回の時刻制御時からサマータイム自動制御が変更されたか否かを判定し、変更されなかった場合は後述するようにステップＳ５の「変更なしの時刻計算」のサブルーチンが実行され、変更された場合には後述するようにステップＳ６の「変更ありの時刻計算」のサブルーチンが実行される。ステップＳ７において現在時刻Ｔの時間表現が冬時間であると判定された場合には、図７および図８に示した現在時刻入力表示部６１，６１ａには現在時刻Ｔとして冬時間を表示し、夏時間であると判定された場合には現在時刻Ｔとして夏時間を表示する（ステップＳ８，Ｓ９）。
【００５５】
図１６は、サマータイム自動制御モードが設定された状態のもとで現在時刻Ｔが新たに入力された場合における現在時刻の再設定のアルゴリズムを示すフローチャートである。
【００５６】
ステップＳ１１〜Ｓ１３では上述したステップＳ１〜Ｓ３と同様の処理が実行されて現在時刻Ｔの時間表現を求め、ステップＳ１４において画面操作により入力された時刻Ｓを取得する。現在時刻を変更するための時刻の入力は、図７および図８に示す現在時刻入力表示部６１，６１ａに表示された部分を操作することにより行うことができる。ステップＳ１５にて現在時刻Ｔの時間表現が冬時間であると判定されたときには、ステップＳ１６で時刻Ｓの範囲が判定される。ステップＳ１６でＮＯと判定されたときは、図４に示されるように時刻Ｓが夏時間４２の範囲ではなく冬時間４１の範囲なので、ステップＳ１７でＲＴＣ３５を時刻Ｓに再設定する。ステップＳ１６でＹＥＳと判定されたときには、ステップＳ１８において時刻Ｓの範囲が判定される。ステップＳ１８においてＹＥＳと判定されたときは、この時刻Ｓが図４に示されるように夏時間４２であり、冬時間４１から夏時間４２に変更する必要があるので、ステップＳ１９にて時刻Ｓの時間表現を夏時間として、ステップＳ１７でＲＴＣ３５を時刻Ｓに再設定する。一方、ステップＳ１８でＮＯと判定されたときは、入力された時刻Ｓが図４に示されるように空白期間４３であるので、ステップＳ２０ではＲＴＣ３５の再設定を行うことなくルーチンを抜ける。
【００５７】
ステップＳ１５で夏時間であると判定されたときには、ステップＳ２１において時刻Ｓの範囲が判定される。このステップＳ２１においてＹＥＳと判定されたときは図４に示されるように時刻Ｓが夏時間４２の範囲であるので夏時間のままに設定する場合であり、ステップＳ２２でＲＴＣ３５を時刻Ｓに再設定する。ステップＳ２１でＮＯと判定されたときは、ステップＳ２３で時刻Ｓの範囲を判定する。このステップＳ２３でＮＯと判定されたときは、夏時間から冬時間に変更する必要があるので、ステップＳ２４において時間表現が冬時間に設定変更され、ステップＳ２２でＲＴＣ３５を時刻Ｓに再設定する。一方このステップＳ２３でＹＥＳと判定されたときは、入力された時刻Ｓが図４に示されるように空白期間であるので、ステップＳ２５ではＲＴＣ３５の再設定を行うことなくルーチンを抜ける。
【００５８】
図１７は、サマータイム自動制御モードが設定された状態のもとでの印字制御のアルゴリズムを示すメインフローチャートである。
【００５９】
ステップＳ３１〜Ｓ３３では上述したステップＳ１〜Ｓ３と同様の処理が実行されて現在時刻Ｔの時間表現を求め、ステップＳ３４においてはステップＳ５と同様の「変更なしの時刻計算」のサブルーチンが実行される。ステップＳ３５において時間表現を自動的に印字すると判定された場合には、ステップＳ３６では「時刻Ｔの状態取得」のサブルーチンが後述のように実行され、ステップＳ３７では後述する「印字内容Ｎ取得」のサブルーチンが実行される。ステップＳ３６では時刻Ｔがサマータイム期間４５、空白期間４３、重複期間４４のうちいずれの状態にあるかが取得され、ステップＳ３７では時刻Ｔの時間表現を示す印字内容Ｎを取得する。印字内容Ｎは、図１４に示したように、冬時間の場合には「Ｗ」の時間表現マークであり、夏時間の場合には「Ｓ」の時間表現マークとなっている。
【００６０】
ステップＳ３８において印字内容Ｎを印字すると判定されたときには、時刻ＴとＷまたはＳの時間表現を示す印字内容Ｎを印字し、ステップＳ３８において印字内容Ｎを印字しないと判定されたときには、時刻Ｔのみを印字する（ステップＳ３９，Ｓ４０）。このように、時刻Ｔのみを印字するのは、図１４に示された印字モード入力表示部６９の「なし」の部分が操作されて不印字モードが設定された場合である。
【００６１】
図１８は、上述したステップＳ１などに示した「各種時刻の取得」のサブルーチンを示すフローチャートである。このサブルーチンにおいては、図４に示したサマータイム開始時ＴＳとサマータイム終了時ＴＥとに、夏時間＝冬時間＋１時間の計算式を用いることにより、図４における時刻ＡＷ，ＡＳ，ＢＷ，ＢＳ，Ｃ〜Ｆが計算される。
【００６２】
まず、ステップＳ４１ではメモリつまり記憶部３２に格納されたサマータイム開始時ＴＳとサマータイム終了時ＴＥの時刻を読み出してこれらの時刻を取得し、ステップＳ４２においてサマータイム開始時ＴＳの時間表現を判定する。時間表現が冬時間であると判定されたときには、ステップＳ４３にて冬時間を基準としたサマータイム開始時ＡＷと夏時間を基準としたサマータイム開始時ＡＳとを計算する。一方、ステップＳ４２において時間表現が夏時間であると判定されたときには、ステップＳ４４にてそれぞれのサマータイム開始時ＡＷ，ＡＳを計算する。
【００６３】
ステップＳ４５においてはサマータイム終了時ＴＥの時間表現が冬時間であるか夏時間であるかを判定して、冬時間であると判定されたときにはステップＳ４６によりサマータイム終了時ＢＷ，ＢＳを計算し、夏時間であると判定されたときにはステップＳ４７によりサマータイム終了時ＢＷ，ＢＳを計算する。これらの計算結果に基づいて、ステップＳ４８では時刻Ｆ〜Ｃが計算される。
【００６４】
図１９は、上述したステップＳ５，Ｓ３４の「変更なしの時刻計算」のサブルーチンを示すフローチャートである。サマータイム自動制御が前回の時刻制御から変化していないときには、ステップＳ５１で時刻Ｔの時間表現を判定し、時刻Ｔの時間表現が冬時間の場合には、ステップＳ５２で記憶部３２からそれぞれの時刻ＡＷ，ＢＷ，Ｄ，Ｆを読み出してこれらの値を取得し、ステップＳ５３にて時刻Ｔの範囲を判定する。このステップＳ５３においてＹＥＳと判定されるのは、前回の時刻制御後にサマータイム開始時を過ぎたため、現在時刻Ｔが冬時間から夏時間になったものの、時刻Ｔはまだ冬時間のままであるという場合である。この場合には、ステップＳ５４が実行されて時刻Ｔが計算されるとともに、時間表現が夏時間に設定される。
【００６５】
一方、ステップＳ５１において時刻Ｔの時間表現が夏時間であると判定された場合には、ステップＳ５５でそれぞれの時刻ＡＳ，ＢＳ，Ｃ，Ｅを記憶部３２から読み出してこれらの値を取得し、ステップＳ５６にて時刻Ｔの範囲を判定する。このステップＳ５６においてＮＯと判定されるのは、前回の時刻制御後にサマータイム終了時を過ぎたため、現在時刻が夏時間から冬時間になったものの、時刻Ｔはまだ夏時間のままであるという場合である。この場合には、ステップＳ５７が実行されて時刻Ｔが計算されるとともに、時間表現が冬時間に設定される。
【００６６】
図２０は、上述したステップＳ６の「変更ありの時刻計算」のサブルーチンを示すフローチャートである。サマータイム自動制御が前回の時刻制御時から変化しているときには、ステップＳ６１においてサマータイム自動制御が「なし」から「あり」に変化したか否かを判定する。「なし」から「あり」に変化した場合には、ステップＳ６２にて記憶部３２から時刻ＡＷ，ＢＷ，Ｄ，Ｆを読み出してこれらの値を取得し、ステップＳ６３にて時刻Ｔの範囲を判定する。このステップＳ６３においてＹＥＳと判定されるのは、サマータイム制御が採用されて現在時刻が夏時間の範囲にあるものの、時刻Ｔはまだ冬時間のままであるという場合である。この場合にはステップＳ６４が実行されて時刻Ｔが計算されるとともに、時間表現が夏時間に設定される。
【００６７】
一方、ステップＳ６１においてサマータイム自動制御が「あり」から「なし」に変化したと判定された場合には、ステップＳ６５にて時刻Ｔの時間表現を判定する。時刻Ｔが夏時間と判定されるのは、サマータイム制御が外れて現在時刻が冬時間となったものの、時刻Ｔはまだ夏時間のままであるという場合であり、時刻Ｔを冬時間にする必要があるためステップＳ６６の処理が実行される。ステップＳ６５で冬時間と判定されたときには、そのままルーチンを抜ける。
【００６８】
図２１は、時刻Ｔがサマータイム期間、空白期間、重複期間のうちいずれの状態にあるかを取得するための図１７に示したステップＳ３６の「時刻Ｔの状態取得」のサブルーチンを示すフローチャートである。
【００６９】
まず、ステップＳ７１にて計算する時刻Ｔを取得し、ステップＳ７２にて時刻Ｔの時間表現を判定する。時間表現がこのステップＳ７２で冬時間と判定されたときには、ステップＳ７３で各時刻ＡＷ，ＢＷ，Ｄ，Ｆを記憶部３２から取得し、ステップＳ７４にて時刻Ｔの範囲を判定する。このステップＳ７４でＹＥＳと判定されるのはステップＳ７５に示すように時刻Ｔがサマータイム期間内の場合であり、ＮＯと判定されるのはステップＳ７６に示すように時刻Ｔがサマータイム期間外の場合である。ステップＳ７７にて時刻Ｔの範囲を判定し、このステップＳ７７で時刻Ｔが範囲内であると判定されたときは時刻Ｔが空白期間である（ステップＳ７８）。一方、ステップＳ７７で範囲外と判定されたときには、ステップＳ７９で時刻Ｔの範囲を判定し、この範囲内であると判定されたときには、時刻Ｔは重複期間である（ステップＳ８０）。
【００７０】
ステップＳ７２において時刻Ｔが夏時間であると判定されたときには、ステップＳ８１で各時刻ＡＳ，ＢＳ，Ｃ，Ｅを取得し、ステップＳ８２にて時刻Ｔの範囲を判定する。このステップＳ８２でＹＥＳと判定されるのは、ステップＳ８３に示すように時刻Ｔがサマータイム期間内の場合であり、ＮＯと判定されるのはステップＳ８４で示すように時刻Ｔがサマータイム期間外の場合である。ステップＳ８５では、時刻Ｔの範囲を判定し、このステップＳ８５でＹＥＳと判定されたときには、時刻Ｔは空白期間である（ステップＳ８６）。一方、ステップＳ８５でＮＯと判定されたときには、ステップＳ８７で時刻Ｔの範囲を判定する。このステップＳ８７でＹＥＳと判定されたときには、時刻Ｔは重複期間である（ステップＳ８８）。
【００７１】
図２２は、図１７に示したステップＳ３７の時刻Ｔの時間表現を示す「印字内容Ｎの取得」のサブルーチンを示すフローチャートである。
【００７２】
ステップＳ９１にて時刻Ｔの時間表現を取得し、ステップＳ９２で時刻Ｔの時間表現が冬時間であると判定されたときには、ステップＳ９３において自動印字内容Ｎとして冬時間を表す文字「Ｗ」が設定される。一方、ステップＳ９２において時刻Ｔの時間表現が夏時間であると判定されたときには、ステップＳ９４において自動印字内容Ｎとして夏時間を表す文字「Ｓ」が設定される。それぞれの時間表現を表すマークは、図１４に示された自動印字内容入力表示部６８を操作することにより、記憶部３２に予め格納された内容が読み出される。
【００７３】
ステップＳ９５においては、図１４に示された印字モード入力表示部６９の操作により入力された印字モードに基づいて、印字内容Ｎを重複期間４４にのみ印字するか、全期間について印字するか、あるいは印字しないかが判定される。これにより、重複期間４４にのみ印字する場合には、ステップＳ９６で示すように重複期間４４にのみ印字内容Ｎが印字され、全期間において印字する場合にはステップＳ９７で示すように印字内容Ｎは冬期間と夏期間の全てにおいて印字される。一方、時間表現を印字しない状態に設定されているときには、ステップＳ９８で示すように印字内容Ｎを印字しないものとして、時刻のみが印字されることになる。
【００７４】
本発明は前記実施の形態に限定されるものではなく、その要旨を逸脱しない範囲で種々変更可能である。例えば、被印字物１０に対しては時間単位と分単位とを時刻として印字するようにしているが、時間単位のみを時刻として印字するようにしても良い。図１に示されるインクジェット記録装置１１は、印字ヘッド１４が導管１４ａにより接続されるとともに内部にインク容器２２などが装着された装置本体１３には、タッチパネル３３とディスプレイ３４の機能を有する操作表示部１２が設けられているが、操作表示部１２を装置本体１３から分離させて配置するようにしても良い。また、種々の情報を入力するためのタッチパネル３３に代えて、入力キーが設けられた操作ボードを用いるようにしても良く、その場合には入力された情報を表示するディスプレイが操作ボードから分離されて設けられることになる。
【符号の説明】
【００７５】
１０…被印字物、１１…インクジェット記録装置、１２…操作表示部、１３…装置本体、１４…印字ヘッド、３０…制御部、３１…コントローラ（時刻印字制御手段、時間表現マーク印字制御手段）、３２…記憶部（記憶手段）、３３…タッチパネル、３４…ディスプレイ、４１…冬時間、４２…夏時間、４３…空白期間、４４…重複期間、４５…サマータイム期間、５１…現在時刻入力表示画面、５２…期間入力表示画面、５３…時間表現入力表示画面、６１…現在時刻入力表示部、６４…サマータイム期間入力表示部、６５…使用地域表示部、６６…チャート表示部、６７…オフセット入力表示部、６８…自動印字内容入力表示部、６９…印字モード入力表示部、ＴＥ…サマータイム終了時、ＴＳ…サマータイム開始時。
【図１】
2011140168.tif 000003
【図２】
2011140168.tif 000004
【図３】
2011140168.tif 000005
【図４】
2011140168.tif 000006
【図５】
2011140168.tif 000007
【図６】
2011140168.tif 000008
【図７】
2011140168.tif 000009
【図８】
2011140168.tif 000010
【図９】
2011140168.tif 000011
【図１０】
2011140168.tif 000012
【図１１】
2011140168.tif 000013
【図１２】
2011140168.tif 000014
【図１３】
2011140168.tif 000015
【図１４】
2011140168.tif 000016
【図１５】
2011140168.tif 000017
【図１６】
2011140168.tif 000018
【図１７】
2011140168.tif 000019
【図１８】
2011140168.tif 000020
【図１９】
2011140168.tif 000021
【図２０】
2011140168.tif 000022
【図２１】
2011140168.tif 000023
【図２２】
2011140168.tif 000024